(57)【特許請求の範囲】
【請求項１】
被計量物が載置される載置部を有し、該載置部に載置される被計量物の重量を計量する計量装置であって、
被計量物の複数の重量ランク及び各重量ランクの重量範囲を含むランク情報が、予め記憶される記憶部と、
複数個の前記被計量物の重量を合計した目標重量を含む設定情報が設定される設定部と、
前記載置部に載置された被計量物の重量、前記設定情報及び前記ランク情報に基づいて、前記載置部に載置された被計量物の重量が前記目標重量に達していないときに、指示手段を制御して、前記載置部に追加すべき被計量物を指示する制御部とを備え、
前記制御部は、前記指示手段を制御して、前記追加すべき被計量物の重量ランクを指示すると共に、該重量ランクにおける追加すべき被計量物の重量を、相対的に指定して指示する、
ことを特徴とする計量装置。
【請求項２】
前記制御部は、載置部に載置されている被計量物に、前記複数の重量ランクのいずれかの重量ランクの被計量物の１個を追加することによって、前記目標重量に達するときに、追加すべき前記１個の被計量物を、前記指示手段を制御して、その重量ランク及び該重量ランクにおける相対的な重量によって指示する、
請求項１に記載の計量装置。
【請求項３】
前記複数の重量ランクの前記被計量物が、複数の容器に重量ランク毎にそれぞれ収納され、
前記指示手段は、前記複数の各容器に個別的に対応して配置される複数の表示ユニットを備え、該表示ユニットは、前記追加すべき被計量物の重量を、相対的に表示する表示部を有し、
前記制御部は、前記指示手段を制御して、前記追加すべき被計量物の重量ランクに対応する前記表示ユニットによって、追加すべき被計量物の重量ランクを指示すると共に、その重量を相対的に指示する、
請求項１または２に記載の計量装置。
【請求項４】
前記請求項１ないし３のいずれかに記載の計量装置と、該計量装置に接続される前記指示手段とを備える、
ことを特徴とする計量システム。
【発明の詳細な説明】
【技術分野】
【０００１】
本発明は、被計量物の重量を計量する計量装置及びそれを用いた計量システムに関し、更に詳しくは、複数個の被計量物の合計重量が定量となるように袋詰めなどを行う場合に好適な計量装置及び計量システムに関する。
【背景技術】
【０００２】
従来、スーパーマーケットなどの小売店においては、箱詰めで仕入れた農産物等の物品を、店頭で販売するために小分け、例えば、数個で何ｋｇといったように定量の袋詰め作業が行われている。
【０００３】
かかる袋詰め作業においては、多数個の物品のうちから何個かの物品を取り出して一台の秤に載せて、定量になる物品の組合せを選ぶのであるが、例えば、最後に載せる物品の重さによっては、なかなか定量とならず、経験や勘に基づいて、他の物品と載せ替えて何度も計量を繰り返す場合が多く、計量に大変な手間がかかるという問題がある。
【０００４】
このため、一定重量の物品を取り出すための組合せ計量システムとして、特許文献１には、組合せ秤用棚が開示されている。この組合せ秤用棚は、格子状に配列された収納部を有しており、それぞれの収納部は、被計量物が収納されたことを検知する収納検知センサと、選択された収納部であるか否かを表示する表示部とを備えている。
【０００５】
使用時には、まず、被計量物の重量が計量部により計量される。計量された被計量物は、各収納部に一時的に収納される。制御部は、各収納部に収納された被計量物の重量を使って組合せ演算を行い、合計重量が所定の条件を満たすような収納部の組合せを選択し、選択された収納部の表示部にその旨を表示する。作業者は、表示がされた収納部の被計量物を集めて袋に入れることで、一定重量の袋詰めを作成することができる。
【先行技術文献】
【特許文献】
【０００６】
【特許文献１】実開平７−４２４８７号公報
【発明の概要】
【発明が解決しようとする課題】
【０００７】
しかしながら、特許文献１の従来の構成では、被計量物が一個あるいは一単位ずつ収納部に収納されるため、被計量物を取り出す毎に新たに被計量物を収納部に入れ直す必要がある。このように、作業者は、被計量物を収納部に一旦収納し、収納した被計量物を収納部から取り出さなければならず、作業効率が悪いという課題がある。
【０００８】
本発明は、経験や勘に頼ることなく、効率的に定量の計量作業が行えるようにすることを目的とする。
【課題を解決するための手段】
【０００９】
上記目的を達成するために、本発明では次のように構成している。
【００１０】
（１）本発明の計量装置は、被計量物が載置される載置部を有し、該載置部に載置される被計量物の重量を計量する計量装置であって、被計量物の複数の重量ランク及び各重量ランクの重量範囲を含むランク情報が、予め記憶される記憶部と、複数個の前記被計量物の重量を合計した目標重量を含む設定情報が設定される設定部と、前記載置部に載置された被計量物の重量、前記設定情報及び前記ランク情報に基づいて、前記載置部に載置された被計量物の重量が前記目標重量に達していないときに、指示手段を制御して、前記載置部に追加すべき被計量物を指示する制御部とを備え、前記制御部は、前記指示手段を制御して、前記追加すべき被計量物の重量ランクを指示すると共に、該重量ランクにおける追加すべき被計量物の重量を、相対的に指定して指示する。
【００１１】
前記ランク情報には、前記重量ランク及び該重量ランクの重量範囲に加えて、被計量物の品名等を含めてもよい。
【００１２】
前記設定情報には、目標重量に加えて、許容値等を含めてもよい。
【００１３】
重量ランクにおける被計量物の重量を相対的に指定するとは、当該重量ランクの重量範囲における被計量物の重量値を相対的に指定することをいい、例えば、前記重量範囲を三つに区分して、被計量物の重量値が、三つに区分された重量範囲のいずれに属するかによって、重い、中程度（普通）、軽いと相対的に指定したり、あるいは、前記重量範囲を五つに区分して、非常に重い、重い、中程度（普通）、軽い、非常に軽いといったように相対的に指定することをいう。この場合、計量作業を行う作業者に理解しやすいように、重量はサイズ（大きさ）に比例するので、例えば、重い、中程度（普通）、軽いを、大、中、小のサイズとして指示するのが好ましい。
【００１４】
当該計量装置は、指示手段を備える構成としてもよいし、指示手段を計量装置とは別個に設けてもよく、この場合、計量装置の制御部が指示手段を制御できるように、計量装置と指示手段とを有線、または、無線で接続するのが好ましい。
【００１５】
指示手段は、追加すべき被計量物を指示できればよく、例えば、表示灯の点灯や表示部の表示によって指示してもよいし、音声によって指示してもよく、それらを組合せて指示するようにしてもよい。
【００１６】
本発明の計量装置によると、作業者が、被計量物を目標重量に対して少な目に載置部に載置すると、指示手段によって、目標重量にするために、追加すべき被計量物の重量ランクが指示されると共に、その重量ランクにおける被計量物の重量が相対的に、例えば、大、中、小といったように相対的に指示される。
【００１７】
これによって、作業者は、指定された重量ランクの被計量物の内から指定された相対重量の被計量物を目視で選択して載置部に追加することで、目標重量に達した被計量物の組合せが完成し、この被計量物の組合せを袋詰め等すればよい。
【００１８】
このように、複数個の被計量物の重量が目標重量になるように、追加すべき被計量物の重量ランクと、その重量ランクにおける相対的な重量が指示されるので、作業者は、目標重量に対して少な目の被計量物を大まかに載置部に載置し、指示された重量ランクであって、指示された相対重量の被計量物を選択して載置部に載置するだけでよい。したがって、作業者自らが、追加すべき被計量物の重量ランクやその重量ランクでの大きさを判断する必要がなく、経験や勘によらず、追加すべき被計量物を容易に選択して目標重量となる被計量物の組合せを完成させることができ、作業効率が向上する。
【００１９】
（２）本発明の計量装置の好ましい実施態様では、前記制御部は、載置部に載置されている被計量物に、前記複数の重量ランクのいずれかの重量ランクの被計量物の１個を追加することによって、前記目標重量に達するときに、追加すべき前記１個の被計量物を、前記指示手段を制御して、その重量ランク及び該重量ランクにおける相対的な重量によって指示する。
【００２０】
制御部は、載置部に載置されている被計量物の重量と目標重量とに基づいて、追加すべき被計量物の重量を求めることができ、また、予め記憶されている被計量物の複数の重量ランク及び各重量ランクの重量範囲に基づいて、追加すべき被計量物が１個でよいか否かを判断することができるので、追加すべき被計量物が１個になったときに、その１個の被計量物を、その重量ランク及び該重量ランクのおける相対的な重量を指示することができる。
【００２１】
なお、追加すべき被計量物が２個以上であるときには、例えば、その２個以上の各被計量物の重量ランクと該重量ランクにおける相対的な重量をそれぞれ指示するようにしてもよいし、あるいは、追加すべき被計量物が１個になるまでは、例えば、最も重い重量ランクの被計量物を１個ずつ追加するように指示してもよい。
【００２２】
この実施態様によると、作業者は、目標重量よりも少な目、好ましくは、目標重量に被計量物１個分足りない程度の被計量物を載置部に載置すればよく、これによって、追加すべき１個の被計量物の重量ランクが指示されると共に、該重量ランクにおける相対的な重量、例えば、大、中、小が指示されるので、その指示に従って１個の被計量物を選択して追加するだけで被計量物の組合せを完成させることができる。
【００２３】
（３）本発明の計量装置の別の実施態様では、前記複数の重量ランクの前記被計量物が、複数の容器に重量ランク毎にそれぞれ収納され、前記指示手段は、前記複数の各容器に個別的に対応して配置される複数の表示ユニットを備え、該表示ユニットは、前記追加すべき被計量物の重量を、相対的に表示する表示部を有し、前記制御部は、前記指示手段を制御して、前記追加すべき被計量物の重量ランクに対応する前記表示ユニットによって、追加すべき被計量物の重量ランクを指示すると共に、その重量を相対的に指示する。
【００２４】
容器は、被計量物を入れるものであればよく、例えば、箱、袋、トレイ、コンテナなどであってもよい。
【００２５】
複数の各容器には、複数の重量ランク毎に被計量物が収納されているので、例えば、被計量物が重量ランク毎に箱詰されたものをそのまま容器として使用してもよいし、前記箱詰された被計量物を移し替えてもよい。
【００２６】
この実施態様によると、指示手段は、各重量ランクの被計量物がそれぞれ収納された容器に対応してそれぞれ配置される複数の表示ユニットを備えているので、表示ユニットの表示によって、対応する容器を指示する、したがって、追加すべき被計量物の重量ランクを指示することができ、また、表示ユニットは、被計量物の重量を相対的に表示する表示部を有しているので、この表示によって、追加すべき被計量物の重量を相対的に指示することができる。
【００２７】
（４）本発明計量システムは、本発明の計量装置と、該計量装置に接続される前記指示手段とを備える。
【００２８】
本発明の計量システムによれば、作業者は、目標重量に対して少な目の被計量物を大まかに載置部に載置し、指示手段によって指示された重量ランクであって、指定された相対重量の被計量物を選択して載置部に載置するだけで、目標重量となる被計量物の組合せを完成させることができ、経験や勘に頼ることなく、計量作業を効率的に行うことができる。
【発明の効果】
【００２９】
このように、本発明によれば、被計量物を目標重量に対して少な目に載置部に載置すると、目標重量にするために、追加すべき被計量物が、その重量ランクと、その重量ランクにおける重量が相対的に指定されて指示されるので、作業者は、指示された重量ランクの被計量物の内から指定された相対重量の被計量物を目視で選択して載置部に追加することで、目標重量に達した被計量物の組合せが完成する。したがって、作業者の経験や勘に頼ることなく、目標重量に達する被計量物の組合せを容易に完成させることができ、作業効率が向上する。
【図面の簡単な説明】
【００３０】
【図１】本発明の実施形態１に係る計量システムのブロック図である。
【図２】本発明の実施形態１に係る計量装置としての電子秤の斜視図である。
【図３】本発明の実施形態１に係る指示手段としての表示ユニットの正面図(a)、平面図(b)、側面図(c)である。
【図４】本発明の実施形態１に係る表示ユニットの取り付け状態を示す斜視図である。
【図５】本発明の実施形態１に係る表示ユニットの使用状態を示す斜視図である。
【図６Ａ】本発明の実施形態１に係る計量処理のフローチャートである。
【図６Ｂ】本発明の実施形態１に係る計量処理のフローチャートである。
【図７】本発明の実施形態２に係る計量処理の要部を示すフローチャートである。
【図８】本発明の実施形態３に係る表示ユニットの正面図(a)、平面図(b)、側面図(c)である。
【図９】本発明の実施形態４に係る表示ユニットの取り付け状態を示す斜視図である。
【発明を実施するための形態】
【００３１】
以下、本発明の実施形態を図面に基づいて詳細に説明する。
【００３２】
（実施形態１）
図１は、本発明の実施形態に係る計量装置を備える計量システムのブロック図である。
【００３３】
この実施形態の計量システムは、農産物や海産物等の物品を、定量で小分けに袋詰め等する際に使用される。
【００３４】
この計量システムは、計量装置としての電子秤１０と、後述のように選択すべき被計量物を指示する指示手段としての複数、この例では３つの表示ユニット２０ａ〜２０ｃを備えている。
【００３５】
電子秤１０は、被計量物を計量する計量部１１、各部を制御すると共に、演算処理を行なう制御部１２、記憶部１３、目標重量等を設定する設定入力部１４、計量した重量値や作業者に対する指示等を表示する表示部１５、コネクタ１９を備えている。
【００３６】
制御部１２は、演算部１６、表示ユニット２０ａ〜２０ｃを制御して選択すべき被計量物を指示する指示制御部１７、表示部１５を制御する表示制御部１８を備えている。各表示ユニット２０ａ〜２０ｃは、点灯回路２１ａ〜２１ｃ及びランプ２２ａ〜２２ｃを備えている。
【００３７】
図２は、この実施形態の電子秤１０の外観斜視図である。
【００３８】
この電子秤１０は、本体ケース３０を備え、上部に被計量物が載置される載置部としての計量皿３１を備えている。本体ケース３０内には、上述の制御部１２、記憶部１３の他、計量皿３１に連結されて演算部１６に荷重信号を出力するロードセル等の荷重センサが内蔵されている。本体ケース３０の前面には、操作ボタンからなる設定入力部１４、液晶ディスプレイからなる表示部１５が設けられており、計量皿３１及びロードセル等によって計量部１１が構成される。
【００３９】
図３は、上記表示ユニット２０ａ〜２０ｃを示すものであり、同図（ａ）は正面図、同図（ｂ）は平面図、同図（ｃ）は側面図である。
【００４０】
各表示ユニット２０ａ〜２０ｃは、同一構成であり、この図３及び後述の図４では、表示ユニット２０ａ〜２０ｃを代表的に表示ユニット２０として示している。
【００４１】
図３に示すように、表示ユニット２０は、ケース２３を備えており、このケース２３内には、点灯回路２１等が内蔵されており、ケース２３の前面に赤色ＬＥＤ２４、青色ＬＥＤ２５、黄色ＬＥＤ２６の３個で１組のランプ２２が設けられている。点灯回路２１は、電子秤１０からの点灯信号により、赤色ＬＥＤ２４、青色ＬＥＤ２５、黄色ＬＥＤ２６の内、いずれか１つのＬＥＤを点灯する。また、ケース２３の後面には取り付け用のクリップ２７が設けられている。
【００４２】
図４は、表示ユニット２０の取り付け状態を示す斜視図である。
【００４３】
表示ユニット２０は、箱４０に取り付けられ、この箱４０には、後述するランク分けされた被計量物が収納される。表示ユニット２０は、箱４０の任意の壁面の上端に、上方からクリップ２７にて当該壁を挟むようにして着脱可能に取付けられる。また、表示ユニット２０は、図示しない信号線を介して電子秤１０のコネクタ１９に接続される。
【００４４】
次に、この実施形態の計量システムについて、具体例を挙げて説明する。
【００４５】
ここでは、重量ランクの異なるＳ，Ｍ，Ｌの各サイズにランク分けされて箱詰めされた被計量物、例えば、Ｓ，Ｍ，Ｌの各サイズのジャガイモの箱詰めを仕入れ、それを小分けにして、複数個のジャガイモの定量の袋詰めを作成する場合に適用して説明する。
【００４６】
箱詰めのジャガイモの各重量ランクＳ，Ｍ，Ｌの重量範囲は、予め決まっており、各重量ランクＳ，Ｍ，Ｌ及びその重量範囲は、後述のランク情報として、電子秤１０に設定されて記憶部１３に記憶される。また、この実施形態では、前記重量範囲を、等しく三つに区分し、被計量物の重量値が、区分された三つの重量範囲のいずれに属するかによって、大、中、小と相対的に重量を指定できるようしている。このため、電子秤１０には、重量範囲の区分数、この例では、三つが設定される。
【００４７】
先ず、袋詰め作業の準備として、図５に示すように、仕入れた箱詰めのＳ，Ｍ．Ｌのジャガイモを移し替えるために、各ランク用に３つの箱４０ａ，４０ｂ，４０ｃを準備し、Ｓ用の箱４０ａにはＳサイズの箱詰めのジャガイモを移し替え、Ｍ用の箱４０ｂにはＭサイズの箱詰めのジャガイモを移し替え、Ｌ用の箱４０ｃにはＬサイズの箱詰めジャガイモを移し替える。
【００４８】
各箱４０ａ，４０ｂ，４０ｃには、それぞれ表示ユニット２０ａ，２０ｂ，２０ｃが取付けられる。各表示ユニット２０ａ，２０ｂ，２０ｃは、信号線を介して電子秤１０のコネクタ１９の所定のポートに接続する。コネクタ１９は、各種被計量物のランク分けの数に対応できるように十分な数のポートを有しており、これらポートのうちから、後述するように、Ｓ，Ｍ，Ｌのジャガイモ用の各ポートを設定し、表示ユニット２０ａはＳ用のポートに、表示ユニット２０ｂはＭ用のポートに、表示ユニット２０ｃはＬ用のポートにそれぞれ接続する。
【００４９】
また、各表示ユニット２０ａ，２０ｂ，２０ｃのランプ２２ａ，２２ｂ，２２ｃにおける各赤色ＬＥＤ２４ａ，２４ｂ，２４ｃは、そのランクの重量範囲を前記三つに区分した場合に、重量が相対的に小さい（軽い）ことを示す「小」、各青色ＬＥＤ２５ａ，２５ｂ，２５ｃは、重量が相対的に中程度であることを示す「中」、各黄色ＬＥＤ２６ａ，２６ｂ，２６ｃは、重量が相対的に大きい（重い）ことを示す「大」であることを予め作業者との間で取り決めておく。すなわち、箱４０ａに入っているＳサイズのジャガイモは一定の重量範囲内にあり、この重量範囲内のジャガイモの内、赤色ＬＥＤ２４ａは作業者の主観で小さいと判断するもの、青色ＬＥＤ２５ａは中程度と判断するもの、黄色ＬＥＤ２６ａは大きいと判断するものを指示することになる。
【００５０】
同様に、赤色ＬＥＤ２４ｂ、青色ＬＥＤ２５ｂ、黄色ＬＥＤ２６ｂは、箱４０ｂの中のＭサイズのジャガイモの内、それぞれ「小」，「中」，「大」と判断するもの、赤色ＬＥＤ２４ｃ、青色ＬＥＤ２５ｃ、黄色ＬＥＤ２６ｃは、箱４０ｃの中のＬサイズのジャガイモの内、それぞれ「小」．「中」，「大」と判断するものを指示することになる。
【００５１】
この例では、Ｓ，Ｍ，Ｌの箱詰めされたジャガイモを箱４０ａ，４０ｂ，４０ｃにそれぞれ移し替えたけれども、ジャガイモを移し替えることなく、箱詰めされたまま使用してもよく、この場合には、箱詰めの箱に、表示ユニット２０ａ，２０ｂ，２０ｃを取付ければよい。
【００５２】
次に、図６のフローチャートを用いて、計量作業について説明する。
【００５３】
下準備として、図６Ａに示すように、ランク情報を入力する（Ｓ１）。これは、電子秤１０の記憶部１３に、被計量物の品名、産地、重量ランク、重量ランク別の重量範囲等を関連付けて記憶させる。例えば、品名がジャガイモ、重量ランクがＳ，Ｍ，Ｌ、ランク別の重量範囲の情報を関連付けて、さらに、この情報を呼び出す際の名称、例えば、ジャガイモ０１と適宜名付けて入力する。この情報入力は、設定入力部１４から行ってもよいが、電子秤１０にパソコンを接続し、専用の情報入力ソフトを使って入力してもよい。なお、既に情報入力が済んでいる場合には、このステップＳ１はスルーしてよい。
【００５４】
電子秤１０の設定入力部１４を操作して、ステップＳ１にて記憶させておいた情報呼び出しのための名称を順次、表示部１５に表示させて所望の情報を選択する。本例ではジャガイモ０１を選択する（Ｓ２）。
【００５５】
ジャガイモ０１のランク情報の内、今回使用する重量ランクを、設定入力部１４を操作して選択する。本例では、既にランク分けされた定型の重量ランクＳ，Ｍ．Ｌの全てを使用する（Ｓ３）。例えば、Ｍ，Ｌの重量ランクのジャガイモしか袋詰めしないのであればＭ，Ｌのみ選択する。
【００５６】
ステップＳ３の操作により、ランク別の重量範囲の情報が記憶部１３から呼び出されて表示部１５に表示される（Ｓ４）。ここで、ランク別の重量範囲の表示に加えて、該当する表示ユニット２０を接続するコネクタ１９のポートを表示するとよい。例えば、重量ランクＬの重量範囲の表示の横に、重量ランクＬ用の箱４０ｃに取り付けた表示ユニット２０ｃを接続する先のポート番号を表示する。作業者は、表示部１５に表示されたＳ．Ｍ，Ｌの各ポート番号に該当するポートにそれぞれＳ，Ｍ，Ｌの表示ユニット２０ａ，２０ｂ，２０ｃを接続することで、電子秤１０と各表示ユニット２０が正しく関連付けされて接続される。
【００５７】
ステップＳ５で、設定入力部１４を操作して設定情報として目標重量を入力する。
【００５８】
作業者は、目標重量よりも少な目、好ましくは、９割程度の被計量物、例えば目標重量が１ｋｇであれば、９００ｇ程度、例えば、Ｍサイズの１個のジャガイモの重量が、１００ｇ前後であれば、９個程度のジャガイモを、例えば、袋に入れた状態で計量皿３１に載置する（Ｓ６）。
【００５９】
計量皿３１に載置された９個程度のジャガイモが計量される（Ｓ７）。
【００６０】
ステップＳ８で、演算部１６は、目標重量からステップＳ７で計量した重量を差し引いた重量値、すなわち、目標重量にするために追加すべきジャガイモの重量値を求める。求めた追加すべきジャガイモの重量値が、選択し得る最大重量である重量ランクＬの重量を超えているか否か、すなわち、目標重量にするのに追加すべきジャガイモが残り１個であるか否かを判断する。
【００６１】
残り１個でないときには、ステップＳ１０で、ジャガイモを1個追加するための追加表示を表示部１５にて行う。ステップＳ１１で、計量皿３１に載置されている袋の中に、ジャガイモを１個加える。加えるジャガイモのサイズは、特にこだわらないが、例えばＬサイズのジャガイモを１個加えるのが好ましい。なお、表示部１５による追加表示に代えて、あるいは、表示部１５による追加表示と共に、表示ユニット２０を用いて、加えるジャガイモを後述と同様にして指示してもよい。
【００６２】
ステップＳ８で、追加すべきジャガイモが残り１個であるときには、その追加すべきジャガイモの重量ランクと、その重量ランクにおける相対的な重量である大、中、小を求める（Ｓ９）。ステップＳ８で、追加すべきジャガイモ１個の重量値が算出されるので、その重量値が、重量ランクＳ，Ｍ，Ｌのいずれの重量ランクの大、中、小のいずれのサイズに該当するかを求める。すなわち、各重量ランクの重量範囲を、それぞれ三つに等しく区分した重量範囲のいずれの区分に属するかを判断し、重い区分に属するときには、大、真ん中の区分に属するときは、中、軽い区分に属するときは、小と判断する。
【００６３】
次に、図６Ｂに示すステップＳ１２で、指示制御部１７から一旦全ての表示ユニット２０のランプを消灯する指示を出した後、ステップＳ９で求めた追加すべき最後の１個のジャガイモの重量に相当するランプを点灯する点灯信号を対応する表示ユニット２０に出力する。
【００６４】
追加すべき最後の１個のジャガイモが、例えば、重量ランクがＳであって、その重量範囲の「小」に該当する場合には、Ｓ用の箱４０ａに取り付けられた表示ユニット２０ａの点灯回路２１ａに対して、「小」を指定する赤色ＬＥＤ２４ａを点灯させて指示し、その他のＬＥＤは全て消灯状態のままとする。
【００６５】
同様に、最後の１個がＳ中、Ｓ大、Ｍ小、Ｍ中、Ｍ大、Ｌ小、Ｌ中、Ｌ大の場合には、青色ＬＥＤ２５ａ、黄色ＬＥＤ２６ａ、赤色ＬＥＤ２４ｂ、青色ＬＥＤ２５ｂ、黄色ＬＥＤ２６ｂ、赤色ＬＥＤ２４ｃ、青色ＬＥＤ２５ｃ、黄色ＬＥＤ２６ｃをそれぞれ点灯させる指示する。図５の例では、重量ランクＬのサイズ小を指定する赤色ＬＥＤ２４ｃが点灯している。
【００６６】
ステップＳ１３で、点灯したランプに相当するジャガイモを１個、箱４０から取り出して、計量皿３１に載っている袋の中に加える。Ｓ用の箱４０ａに取り付けた表示ユニット２０ａの赤色ＬＥＤ２４ａが点灯している場合、Ｓ用の箱４０ａの中から作業者が主観で小さいと判断したジャガイモを１個取り出して袋に加える。同様に、青色ＬＥＤ２５ａ、黄色ＬＥＤ２６ａが点灯している場合、Ｓ用の箱４０ａの中から中くらい、大きいものをそれぞれ取り出し、赤色ＬＥＤ２４ｂ、青色ＬＥＤ２５ｂ、黄色ＬＥＤ２６ｂが点灯している場合、Ｍ用の箱４０ｂの中から小さい、中くらい、大きいものをそれぞれ取り出し、赤色ＬＥＤ２４ｃ、青色ＬＥＤ２５ｃ、黄色ＬＥＤ２６ｃが点灯している場合、Ｌ用の箱４０ｃの中から小さい、中くらい、大きいものをそれぞれ取り出す。
【００６７】
計量皿３１に載置されている袋詰めの重量を計量する（Ｓ１４）。図５の例では、Ｌ用の箱４０ｃの中から小さいものを１個取り出して袋に加える。
【００６８】
ステップＳ１５で、ステップＳ１４の計量値が目標重量をクリアしているか否かを判断する。目標重量をクリアしていない場合にはステップＳ１６に進み、クリアしている場合にはステップＳ１８に進む。
【００６９】
ステップＳ１６で、表示部１５にて目標重量に達していない不足エラー表示を行う。
【００７０】
ステップＳ１７で、計量皿３１に載っている袋の中から、作業者が主観で小さいと判断したジャガイモを１個取り出して残り１個の状態に戻す。これは、ランプの指示によって最後の１個を加えたにも関わらず重量不足となったことに鑑みて、袋の中からできるだけ小さいジャガイモを排除することで、再度重量不足となるのを避けることを目的としている。そして、ステップＳ７に戻る。
【００７１】
ステップＳ１５で目標重量以上の場合、表示部１５に目標重量に到達していることを示すＯＫ表示を行う（Ｓ１８）。
【００７２】
計量皿３１に載っている袋詰めを降ろす（Ｓ１９）。
【００７３】
ステップＳ２０で、全ての袋詰め作業が終了したか否かを判断し、終了していない場合、ステップＳ２１に進む。
【００７４】
ステップＳ２１で、表示ユニット２０の点灯しているランプを消灯し、電子秤１０の計量値を零点リセットした後、ステップＳ６に戻って、同様の作業を繰り返す。
【００７５】
このように構成された計量システムによると、既にランク分けされている被計量物を目標重量に対して少な目にして大まかに袋詰めして計量するだけで、表示ユニット２０のランプ２２の点灯によって目標重量に達するのに必要な最後の１個の被計量物が、重量ランクとその重量ランク内の相対的な大きさによって指定される。作業者は、指定された重量ランクの中から指定された相対的な大きさの被計量物を選択して加えることで、目標重量に達した被計量物の袋詰めが完成する。このように、目標重量に必要な最後の１個の被計量物が指示されるので、作業者は大まかな袋詰めと指定の大きさの被計量物を選択するだけでよく、経験や勘に頼ることなく、容易に定量計量作業が行える。
【００７６】
また、既にランク分けされている被計量物を用いるため、細かなランク分け作業が不要である。
【００７７】
また、目標重量に達しない場合には、袋詰めの中から小さい被計量物を１個取り除いて、目標重量に対して残り１個の状態に戻すので、再び目標重量に達しなくなる恐れを減らすことができる。
【００７８】
なお、目標重量に足りない９個程度のジャガイモを、予め袋に入れたものを多数作成しておき、各袋を順次、計量皿３１に載せて最後の１個を追加するようにすれば、一層作業効率が向上する。
【００７９】
なお、目標重量に加えて、許容値（上限値）を設定し、目標値以上であって、かつ、許容値以内の定量の袋詰めを行うようにしてもよい。この場合、最後の１個を追加したときに、許容値を上回った場合には、その旨を表示して、例えば、袋詰めの中から大きい被計量物を１個取り除いて、目標重量に対して残り１個の状態に戻すようにすればよい。
【００８０】
（実施形態２）
上述の実施形態１では、ランク分けされて箱詰めされた被計量物を使用することを前提としているが、本実施形態２ではランク分けされていない被計量物にも対応できるようしたものである。
【００８１】
実施形態１の図１〜図５の構成は、本実施形態２の計量システムにおいても同様である。図７は本実施形態２の特徴部分を示しており、図６のフローチャートに図７のＳ３１〜３７を追加することで本実施形態２の定量計量の作業を示すフローチャートとなる。なお、図６のＳ１〜２１の各ステップの内容については同様である。
【００８２】
図１〜６に示した実施形態１と同一部分については説明を省略し、図７の特徴部分のみ説明する。
【００８３】
ステップＳ３１で、ジャガイモの袋詰めには既にランク分けされたものを使用するか、ランク分けされていないものを使用するかの判断を行なう。ランク分けされたものを使用する場合はステップＳ２へ進み、以降、図６と同様の流れとなる。ランク分けされていないものを使用する場合はステップＳ３２へ進む。
【００８４】
ステップＳ３２で、袋詰めのために用意されたランク分けされていないジャガイモの中から数十個のサンプルを任意に選択する。なお、サンプルの個数は数十個に限らないが、あまり多いとランク分け作業に手間がかかるので適宜決定する。そして、選択したサンプルを１個ずつ計量皿３１に載置して計量し、記憶部１３に個々の重量を記憶させる。
【００８５】
ステップＳ３３で、設定入力部１４を操作して、ステップＳ３２で入力したサンプルデータに基づき、演算部１６にて平均重量、標準偏差を計算し記憶部１３に記憶させる。
【００８６】
ステップＳ３４で、これから行なう袋詰め作業で希望するランク分け数を、設定入力部１４を操作して入力し記憶部１３に記憶させる。例えば、Ｓ，Ｍ，Ｌの３つにランク分けするのであれば、ランク分け数は３となる。
【００８７】
ステップＳ３５で、設定入力部１４を操作して、記憶部１３に記憶させた平均重量、標準偏差、ランク分け数に基づき、演算部１６にてランク毎の重量範囲を計算し、表示部１５に表示すると共に、記憶部１３に記憶させる。
【００８８】
ステップＳ３６で、サンプルに用いたジャガイモも含め、袋詰め用の全てのジャガイモを１個ずつ計量皿３１に載置して計量する。表示部１５に表示された当該ジャガイモの重量と、ランク毎の重量範囲とを見比べ、当該ジャガイモはＳ，Ｍ，Ｌのいずれのランクに該当するかを判断する。予め、図５に示すＳ用の箱４０ａ、Ｍ用の箱４０ｂ、Ｌ用の箱４０ｃを準備しておき、当該ジャガイモがＳであれば箱４０ａに、Ｍであれば箱４０ｂに、Ｌであれば箱４０ｃに入れる。なお、表示部１５に表示されたジャガイモの重量とランク毎の重量範囲とから当該ジャガイモのランクを作業者が決定する代わりに、演算部１６にて当該ジャガイモのランクを自動で算出して表示部１５に直接Ｓ，Ｍ，Ｌとランクを表示してジャガイモのランクを作業者に知らせるようにしてもよい。
【００８９】
袋詰め用の全てのジャガイモについて、ステップＳ３６のランク分け作業を行い（Ｓ３７）、ランク分け作業が終了すると、図６のステップＳ５以降の作業に進む。
【００９０】
このように構成された計量システムによると、被計量物が予めランク分けされていない場合であっても、被計量物の一部をサンプルとして計量することでランク分け重量範囲が出力されるので、そのランク分け重量範囲に基づいて被計量物を計量してランク分けすることができる。
【００９１】
（実施形態３）
上述の実施形態１では、表示ユニット２０のランプ２２は赤色ＬＥＤ２４、青色ＬＥＤ２５、黄色ＬＥＤ２６から構成されているのに対し、本実施形態３では図８に示す構成となっている。
【００９２】
すなわち、本実施形態３のランプ２２は、ＲＧＢの３色ＬＥＤにて構成されており、ＲＧＢの組み合わせで数色に光るものである。ランプ２２の点灯回路２１に、電子秤１０からの点灯信号が入力されると、その指示にしたがって予め作業者との間で取り決めておいた色となるように３色ＬＥＤを点灯する。例えば箱４０の中から小さいジャガイモを選択する旨の指示は３色ＬＥＤを赤色に光らせ（Ｒのみ点灯）、中くらいを選択する旨の指示は青色に光らせ（Ｂのみ点灯）、大きいものを選択する旨の指示は黄色に光らせる（ＲとＧを点灯）。作業者はランプ２２の色にしたがって箱４０の中から指定の大きさのジャガイモを１個取り出して袋に加える。
【００９３】
なお、その他の構成は、実施形態１と同様である。
【００９４】
（実施形態４）
上述の実施形態１では、表示ユニット２０をクリップ２７にて箱４０に取り付ける構成であるのに対し、本実施形態４では図９に示す構成となっている。
【００９５】
すなわち、表示ユニット２０を据え置きタイプとして用い、ランク分けした被計量物を入れたトレイに隣接させて置くようにしたものである。
【００９６】
（その他の実施形態）
表示ユニット２０は、ランプ２２の点灯色によって大きさを指定するものに限らない。例えば、表示ユニット２０の表示画面にバーグラフを表示し、その長短により、長さが長いと大を、短いと小を指定するものとしたり、あるいはリミットメータ等の大きさの大小で指定するようにしてもよい。
【００９７】
また、表示の代わりに、“Ｌの大”“Ｍの小”等の音声で指示する音声ユニットであってもよい。この場合、図５に示すように被計量物のランク毎に設ける必要はなく１個設置すればよい。音声ユニットとしては、音声回路とスピーカを有し、音声回路は電子秤１０の制御部１２から制御信号が入力されると、その制御信号によって、予め記憶されているコメント文や電子音等をスピーカから出力させる。
【００９８】
さらに、表示ユニットと音声ユニットを組み合わせて、表示と音声の両方で指示するようにしてもよい。
【００９９】
上述の実施形態では、被計量物としては、ジャガイモに適用したけれども、被計量物は、農産物、海産物他、袋等に小分けにパック詰め等して販売するものであれば、どのような物品であってもよい。
【０１００】
また、重量ランクは、上述のＳ，Ｍ，Ｌに限らず、ＳＳ，Ｓ，Ｍ，Ｌ，ＬＬ等、任意である。
【産業上の利用可能性】
【０１０１】
本発明は、スーパーマーケット等の小売店で、仕入れた農産物等を店頭での販売用にある程度大きさを揃えて袋詰めする際の定量計量として有用である。
【符号の説明】
【０１０２】
１０  電子秤（計量装置）
１１  計量部
１２  制御部
１３  記憶部
１４  設定入力部
１５  表示部
１６  演算部
１７  指示制御部
１８  表示制御部
１９  コネクタ
２０  表示ユニット（指示手段）
２１  点灯回路
２２  ランプ
【図１】
0005917273.tif 000002
【図２】
0005917273.tif 000003
【図３】
0005917273.tif 000004
【図４】
0005917273.tif 000005
【図５】
0005917273.tif 000006
【図６Ａ】
0005917273.tif 000007
【図６Ｂ】
0005917273.tif 000008
【図７】
0005917273.tif 000009
【図８】
0005917273.tif 000010
【図９】
0005917273.tif 000011